(57)【要約】【課題】ガス供給管の接続に伴ってガス供給管接続用ネジが回転してしまうことがない回り止め構造を備えた連続鋳造用ノズルおよび連続鋳造用ノズルにおけるガス供給管接続用ネジの固定方法を提供する。【解決手段】本発明の連続鋳造用ノズル１は、ノズル本体２内に設けられノズル内孔３にガスを供給可能なガス導入路４と、ガス導入路４内にガスを供給するガス供給管２０をノズル本体２に接続するためのガス供給管接続用ネジ５と、ガス供給管接続用ネジ５の取り付け部位付近のノズル本体２に巻回された鉄皮６とを有した連続鋳造用ノズルであって、ガス供給管接続用ネジ５は外形に角部５Ａを備えた頭部フランジ５ａを有し、鉄皮６はガス供給管接続用ネジ５の頭部フランジ５ａと係合して頭部フランジ５ａを回転不能とする頭部フランジ嵌入穴６ａを有している。【選択図】図１
2010253514.tif 000002
【特許請求の範囲】
【請求項１】
ノズル本体内に設けられノズル内孔にガスを供給可能なガス導入路と、該ガス導入路内にガスを供給するガス供給管をノズル本体に接続するためのガス供給管接続用ネジと、該ガス供給管接続用ネジの取り付け部位付近のノズル本体に巻回された鉄皮とを有した連続鋳造用ノズルであって、前記ガス供給管接続用ネジは外形に角部を備えた頭部フランジを有し、前記鉄皮は前記ガス供給管接続用ネジの前記頭部フランジと係合して前記頭部フランジを回転不能とする頭部フランジ嵌入穴を有していることを特徴とする連続鋳造用ノズル。
【請求項２】
ノズル本体内に設けられノズル内孔にガスを供給可能なガス導入路と、該ガス導入路内にガスを供給するガス供給管をノズル本体に接続するためのガス供給管接続用ネジと、該ガス供給管接続用ネジの取り付け部位付近のノズル本体に巻回された鉄皮とを有した連続鋳造用ノズルであって、前記ガス供給管接続用ネジは外形に角部を備えた頭部フランジを有し、前記鉄皮は前記ガス供給管接続用ネジを挿通可能なネジ挿通穴を有し、前記ガス供給管接続用ネジは前記鉄皮に固着され前記頭部フランジを回転不能に保持するネジ固定用部材により保持されていることを特徴とする連続鋳造用ノズル。
【請求項３】
ノズル本体内に設けられノズル内孔にガスを供給可能なガス導入路と、該ガス導入路内にガスを供給するガス供給管をノズル本体に接続するためのガス供給管接続用ネジと、該ガス供給管接続用ネジの取り付け部位付近のノズル本体に巻回された鉄皮とを有した連続鋳造用ノズルであって、前記ガス供給管接続用ネジは外形に角部を備えた頭部フランジを有し、前記鉄皮は前記ガス供給管接続用ネジの前記頭部フランジと係合して前記頭部フランジを回転不能とする頭部フランジ嵌入穴を有し、前記ガス供給管接続用ネジは前記鉄皮の前記頭部フランジ嵌入穴により保持されていることを特徴とする連続鋳造用ノズルにおけるガス供給管接続用ネジの固定方法。
【請求項４】
ノズル本体内に設けられノズル内孔にガスを供給可能なガス導入路と、該ガス導入路内にガスを供給するガス供給管をノズル本体に接続するためのガス供給管接続用ネジと、該ガス供給管接続用ネジの取り付け部位付近のノズル本体に巻回された鉄皮とを有した連続鋳造用ノズルであって、前記ガス供給管接続用ネジは外形に角部を備えた頭部フランジを有し、前記鉄皮は前記ガス供給管接続用ネジを挿通可能なネジ挿通穴を有し、前記ガス供給管接続用ネジは前記鉄皮に固着され前記頭部フランジを回転不能に保持するネジ固定用部材により保持されていることを特徴とする連続鋳造用ノズルにおけるガス供給管接続用ネジの固定方法。
【発明の詳細な説明】
【技術分野】
【０００１】
本発明は、ガス供給管接続用ネジを固定した連続鋳造用ノズルおよび連続鋳造用ノズルにおけるガス供給管接続用ネジの固定方法に関するものである。
【背景技術】
【０００２】
従来より、連続鋳造時にノズル内孔を流通する溶鋼中に含まれるアルミ等の成分が酸化してノズル閉塞を発生させることを防止するために、図８に示すように、ノズル本体５１内にノズル内孔５２と略同心で軸方向に延在して設けられたガス導入路（環状スリット）５３を形成し、このガス導入路５３を介してアルゴンガス等の不活性ガスをノズル内孔５２に供給することにより、内孔への酸化物の付着を防止することが行われている。
【０００３】
本件出願人は、上記ガス導入路５３内にガスを供給するガス供給管２０をノズル本体５１の側壁に接続するためのガス供給管接続用ネジ５４について先に出願をし、このガス供給管接続用ネジ５４にガス供給管２０を接続（螺合）させる際に、ガス供給管２０の回転に伴ってガス供給管接続用ネジ５４が回転しない多角形状の頭部フランジを有したネジ構造を提案した（特許３７２７６３２号公報）。
【０００４】
また、このようなガス供給管接続用ネジ５４をノズル本体５１に取り付ける場合、ノズル本体５１のネジ取り付け孔５５に直接ガス供給管接続用ネジ５４を取り付けるが、耐火物からなるノズル本体５１はせん断応力に対して十分な強度を有していないため、ガス供給管２０を取り付ける際にノズル本体５１が破壊されてしまうことがある。この問題を解決するために、図９に示すように、ガス供給管接続用ネジ５４を取り付ける部位付近のノズル本体５１の外周を鉄皮５６で巻いて補強することが行われている。
【特許文献１】特許３７２７６３２号公報
【発明の開示】
【発明が解決しようとする課題】
【０００５】
本発明は、この鉄皮を利用して、ガス供給管の回転に伴ってガス供給管接続用ネジがより確実に回転しないよう想起されたものであり、すなわち、本発明の課題は、ガス供給管の接続に伴ってガス供給管接続用ネジが回転してしまうことがない回り止め構造を備えた連続鋳造用ノズルおよび連続鋳造用ノズルにおけるガス供給管接続用ネジの固定方法を提供することにある。
【課題を解決するための手段】
【０００６】
上記課題を解決するものは、ノズル本体内に設けられノズル内孔にガスを供給可能なガス導入路と、該ガス導入路内にガスを供給するガス供給管をノズル本体に接続するためのガス供給管接続用ネジと、該ガス供給管接続用ネジの取り付け部位付近のノズル本体に巻回された鉄皮とを有した連続鋳造用ノズルであって、前記ガス供給管接続用ネジは外形に角部を備えた頭部フランジを有し、前記鉄皮は前記ガス供給管接続用ネジの前記頭部フランジと係合して前記頭部フランジを回転不能とする頭部フランジ嵌入穴を有していることを特徴とする連続鋳造用ノズルである。
【０００７】
また、上記課題を解決するものは、ノズル本体内に設けられノズル内孔にガスを供給可能なガス導入路と、該ガス導入路内にガスを供給するガス供給管をノズル本体に接続するためのガス供給管接続用ネジと、該ガス供給管接続用ネジの取り付け部位付近のノズル本体に巻回された鉄皮とを有した連続鋳造用ノズルであって、前記ガス供給管接続用ネジは外形に角部を備えた頭部フランジを有し、前記鉄皮は前記ガス供給管接続用ネジを挿通可能なネジ挿通穴を有し、前記ガス供給管接続用ネジは前記鉄皮に固着され前記頭部フランジを回転不能に保持するネジ固定用部材により保持されていることを特徴とする連続鋳造用ノズルである。
【０００８】
さらに、上記課題を解決するものは、ノズル本体内に設けられノズル内孔にガスを供給可能なガス導入路と、該ガス導入路内にガスを供給するガス供給管をノズル本体に接続するためのガス供給管接続用ネジと、該ガス供給管接続用ネジの取り付け部位付近のノズル本体に巻回された鉄皮とを有した連続鋳造用ノズルであって、前記ガス供給管接続用ネジは外形に角部を備えた頭部フランジを有し、前記鉄皮は前記ガス供給管接続用ネジの前記頭部フランジと係合して前記頭部フランジを回転不能とする頭部フランジ嵌入穴を有し、前記ガス供給管接続用ネジは前記鉄皮の前記頭部フランジ嵌入穴により保持されていることを特徴とする連続鋳造用ノズルにおけるガス供給管接続用ネジの固定方法である。
【０００９】
さらに、上記課題を解決するものは、ノズル本体内に設けられノズル内孔にガスを供給可能なガス導入路と、該ガス導入路内にガスを供給するガス供給管をノズル本体に接続するためのガス供給管接続用ネジと、該ガス供給管接続用ネジの取り付け部位付近のノズル本体に巻回された鉄皮とを有した連続鋳造用ノズルであって、前記ガス供給管接続用ネジは外形に角部を備えた頭部フランジを有し、前記鉄皮は前記ガス供給管接続用ネジを挿通可能なネジ挿通穴を有し、前記ガス供給管接続用ネジは前記鉄皮に固着され前記頭部フランジを回転不能に保持するネジ固定用部材により保持されていることを特徴とする連続鋳造用ノズルにおけるガス供給管接続用ネジの固定方法である。
【発明の効果】
【００１０】
請求項１に記載した発明によれば、鉄皮に設けられた頭部フランジ嵌入穴がガス供給管接続用ネジの頭部フランジを回転不能に保持するため、ガス供給管の接続に伴ってガス供給管接続用ネジが回転してしまうことがない。
請求項２に記載した発明によれば、鉄皮に設けられたネジ固定用部材がガス供給管接続用ネジの頭部フランジを回転不能に保持するため、ガス供給管の接続に伴ってガス供給管接続用ネジが回転してしまうことがない。
請求項３に記載した発明によれば、鉄皮に設けられた頭部フランジ嵌入穴がガス供給管接続用ネジの頭部フランジを回転不能に保持するため、ガス供給管の接続に伴ってガス供給管接続用ネジが回転してしまうことがない。
請求項４に記載した発明によれば、鉄皮に設けられたネジ固定用部材がガス供給管接続用ネジの頭部フランジを回転不能に保持するため、ガス供給管の接続に伴ってガス供給管接続用ネジが回転してしまうことがない。
【図面の簡単な説明】
【００１１】
【図１】本発明の連続鋳造用ノズルの一実施例の一部正面図である。
【図２】図１のＡ−Ａ線部分拡大断面図である。
【図３】本発明の連続鋳造用ノズルにおける鉄皮の一実施例の正面図である。
【図４】図３に示した鉄皮の斜視図である。
【図５】本発明の連続鋳造用ノズルの他の実施例の一部正面図である。
【図６】図５のＡ−Ａ線部分拡大断面図である。
【図７】本発明の連続鋳造用ノズルにおける鉄皮の他の実施例の斜視図である。
【図８】ガス供給管を接続する連続鋳造用ノズルを説明するための縦断面図である。
【図９】従来の連続鋳造用ノズルにおけるガス供給管接続用ネジの固定方法を説明するための一部正面図である。
【発明を実施するための形態】
【００１２】
本発明は、鉄皮によってガス供給管接続用ネジの頭部フランジが回転不能に保持されることで、ガス供給管の接続に伴ってガス供給管接続用ネジが回転してしまうことがない連続鋳造用ノズルを実現した。
【実施例１】
【００１３】
この実施例の連続鋳造用ノズル１は、図１または図２に示すように、ノズル本体２内に設けられノズル内孔３にガスを供給可能なガス導入路４と、ガス導入路４内にガスを供給するガス供給管２０をノズル本体２に接続するためのガス供給管接続用ネジ５と、ガス供給管接続用ネジ５の取り付け部位付近のノズル本体２に巻回された鉄皮６とを有した連続鋳造用ノズルであって、ガス供給管接続用ネジ５は外形に角部５Ａを備えた頭部フランジ５ａを有し、鉄皮６はガス供給管接続用ネジ５の頭部フランジ５ａと係合して頭部フランジ５ａを回転不能とする頭部フランジ嵌入穴６ａを有している。以下、各構成について順次詳述する。
【００１４】
連続鋳造用ノズル１は、タンディッシュ内の金属溶湯をモールドに注入するノズルであって、上部付近をタンディッシュの溶鋼排出口に気密に接続し、下部付近をモールド内に挿入浸漬して使用するものである。
【００１５】
ノズル本体２の中心には軸方向にノズル内孔３が貫通しており、このノズル内孔３に溶融金属が流通可能に構成されている。また、ノズル本体２内にはノズル内孔３と略同心でかつ軸方向に延在して設けられたガス導入路（環状スリット）４が形成されており、このガス導入路４を介してアルゴンガス等の不活性ガスがノズル内孔３に供給されることで内孔への酸化物の付着が防止されるよう構成されている。
【００１６】
ノズル本体２の側壁には、ガス導入路４と連通するネジ取り付け孔１０が形成され、このネジ取り付け孔１０には、図２に示すように、ガス導入路４内にガスを供給するガス供給管２０をノズル本体２に接続するためのガス供給管接続用ネジ５が取り付けられている。
【００１７】
より具体的には、ネジ取り付け孔１０は、ガス供給管接続用ネジ５の頭部フランジ５ａを嵌装する嵌装孔１０ａと、嵌装孔１０ａに連成されガス供給管接続用ネジ５の雄ネジ５ｂを螺合する雌ネジ１０ｂとから構成されている。
【００１８】
ガス供給管接続用ネジ５は、圧造等によりネジ本体部５ｃに正面視（図１参照）正六角形の頭部フランジ５ａが一体成形され、ネジ本体部５ｃの略中心にガス供給孔１１を貫通させ、該ガス供給孔１１形成内面にガス供給管接続用雌ネジ５ｄを形成すると共に、ネジ本体部５ｃの外周に雄ネジ５ｂを形成したものである。なお、この正六角形状の頭部フランジ５ａの各頂角が回り止め用の角部５Ａを構成している。
【００１９】
そして、ネジ取り付け孔１０に取り付けたガス供給管接続用ネジ５の頭部フランジ５ａと嵌装孔１０ａとの隙間には、図１に示すように耐火モルタル１２が充填硬化され、ガス供給管接続用ネジ５が固定されると共に、ガス供給管２０が連続鋳造用ノズル１に接続可能に構成される。
【００２０】
ガス供給管接続用ネジ５の取り付け部位付近のノズル本体２外周には、図１または図２に示すように、鉄皮６が巻かれ、ガス供給管２０を取り付ける際にノズル本体２が破壊されてしまうことがないように補強されている。鉄皮６は、図３または図４のように、ノズル本体２の外周と略同一の長さを有した帯状体６ｂにて形成されており、ノズル本体２に巻回した後、溶接にて帯状体６ｂの両端部を連結してノズル本体２の外周に配される。
【００２１】
鉄皮６は、図１に示すように、ガス供給管接続用ネジ５の角部５Ａを備えた頭部フランジ５ａと係合して頭部フランジ５ａを回転不能とする頭部フランジ嵌入穴６ａを有している。この実施例では、頭部フランジ嵌入穴６ａは頭部フランジ５ａの幅（正六角形のうち平行な二辺の間の距離）より若干大きい横幅を備えた矩形の穴に形成されており、この頭部フランジ嵌入穴６ａ内に頭部フランジ５ａを配すると、頭部フランジ嵌入穴６ａの内縁部と頭部フランジ５ａの側部とが係合して、鉄皮６が頭部フランジ５ａの回転を係止するように構成されている。なお、頭部フランジ嵌入穴は、この矩形形状に限定されるものではなく、角部を備えた頭部フランジの形状に対応して、頭部フランジと係合することで頭部フランジを回転不能に保持可能であればどのような形状でもよく、例えば、ガス供給管接続用ネジの頭部フランジの外形が八角形またはその他の多角形である場合は、頭部フランジ嵌入穴がそれより若干大きい八角形またはその他の多角形に形成されたものなどでもよい。すなわち、頭部フランジ嵌入穴は、少なくとも頭部フランジの外形のうち直線部分に隣接配置されて頭部フランジ嵌入穴の内縁部と頭部フランジの側部とが係合して頭部フランジを回転不能に保持可能であればどのような形状でもよい。
【００２２】
このように、本発明の連続鋳造用ノズル１は、鉄皮６がガス供給管接続用ネジ５の頭部フランジ５ａを回転不能に保持するため、極めて簡素な構造でガス供給管接続用ネジ５の回転をより確実に抑止できる。
【００２３】
つぎに、図５または図６に示した本発明の連続鋳造用ノズルの他の実施例について説明する。
この実施例の連続鋳造用ノズル３０は、ノズル本体２内に設けられノズル内孔３にガスを供給可能なガス導入路４と、ガス導入路４内にガスを供給するガス供給管２０をノズル本体２に接続するためのガス供給管接続用ネジ５と、ガス供給管接続用ネジ５の取り付け部位付近のノズル本体２に巻回された鉄皮６とを有した連続鋳造用ノズルであって、ガス供給管接続用ネジ５は外形に角部５Ａを備えた頭部フランジ５ａを有し、鉄皮６はガス供給管接続用ネジ５を挿通可能なネジ挿通穴３１を有し、ガス供給管接続用ネジ５は鉄皮６に固着され頭部フランジ５ａを回転不能に保持するネジ固定用部材３２ａ，３２ｂにより保持されている。
【００２４】
この実施例の連続鋳造用ノズル３０と前述した連続鋳造用ノズル１との相違は、連続鋳造用ノズル１が鉄皮６に設けられた頭部フランジ嵌入穴６ａにて頭部フランジ５ａを回転不能に係止するのに対して、連続鋳造用ノズル３０は鉄皮６に溶接部３３にて固着されたネジ固定用部材３２ａ，３２ｂにて頭部フランジ５ａを係止する点のみであり他は同じである。同一構成部分については同一符号を付し説明を省略する。
【００２５】
具体的には、連続鋳造用ノズル３０の鉄皮６には、図５に示すように、正面視円形のネジ挿通穴３１が設けられており、このネジ挿通穴３１自体は頭部フランジ５ａと係合せず、溶接部３３にて鉄皮に固着されたネジ固定用部材３２ａ，３２ｂが頭部フランジ５ａを回転不能に係止する。ネジ固定用部材３２ａ，３２ｂは、２本の長尺材にて構成されており、頭部フランジ５ａの外形の角部を繋ぐ直線部分に沿って平行に配された後、溶接部３３にて鉄皮６に固着され、これらネジ固定用部材３２ａ，３２ｂによって、頭部フランジ５ａが回転不能に係止されている。なお、ネジ固定用部材３２ａ，３２ｂのような係止部材を鉄皮６と別部材で構成することにより、頭部フランジ５ａが正面においてどのような角度で取り付けられていても、頭部フランジ５ａの外形に沿ってネジ固定用部材を配することで頭部フランジ５ａを回転不能に係止できる。また、この実施例のネジ固定用部材は平行に配される２本の長尺材３２ａ，３２ｂで構成されているが、これに限定されるものではなく、頭部フランジ５ａの外形の直線部分に沿って配され固着されることで回転を抑止できるものであればどのような形態であってもよく、単数あるいは３以上の複数材からなるものであってもよい。
【００２６】
さらに、図７に示した本発明の連続鋳造用ノズルに使用される鉄皮の他の実施例について説明する。
この実施例の鉄皮４６と前述した鉄皮６との基本的な相違は、鉄皮６が一枚の帯状体６ｂで構成されているのに対して、鉄皮４６は２枚でノズル本体２を巻回するように分割された２枚の帯状体４６ａ，４６ｂとから構成されている点である。
【００２７】
さらに、本発明の連続鋳造用ノズルにおけるガス供給管接続用ネジの固定方法について図１ないし図４に示した一実施例を用いて説明する。
この実施例の連続鋳造用ノズル１におけるガス供給管接続用ネジ５の固定方法は、ノズル本体２内に設けられノズル内孔３にガスを供給可能なガス導入路４と、ガス導入路４内にガスを供給するガス供給管２０をノズル本体２に接続するためのガス供給管接続用ネジ５と、ガス供給管接続用ネジ５の取り付け部位付近のノズル本体２に巻回された鉄皮６とを有した連続鋳造用ノズルであって、ガス供給管接続用ネジ５は外形に角部５Ａを備えた頭部フランジ５ａを有し、鉄皮６はガス供給管接続用ネジ５の頭部フランジ５ａと係合して頭部フランジ５ａを回転不能とする頭部フランジ嵌入穴６ａを有し、ガス供給管接続用ネジ５は鉄皮６の頭部フランジ嵌入穴６ａにより保持されていることを特徴とする固定方法である。
【００２８】
この連続鋳造用ノズル１におけるガス供給管接続用ネジ５の固定方法では、鉄皮６に設けられた頭部フランジ嵌入穴６ａに、ガス供給管接続用ネジ５の角部５Ａを備えた頭部フランジ５ａを係合させるのみで頭部フランジ５ａを回転不能とすることができる。より具体的には、頭部フランジ嵌入穴６ａは頭部フランジ５ａの幅（正六角形のうち平行な二辺の間の距離）より若干大きい横幅を備えた矩形の穴に形成されており、この頭部フランジ嵌入穴６ａ内に頭部フランジ５ａを配すると、頭部フランジ嵌入穴６ａの内縁部と頭部フランジ５ａの側部とが係合して、鉄皮６が頭部フランジ５ａの回転を係止して固定する。
【００２９】
さらに、本発明の連続鋳造用ノズルにおけるガス供給管接続用ネジの他の固定方法について図５または図６に示した一実施例を用いて説明する。
この実施例の連続鋳造用ノズル３０におけるガス供給管接続用ネジ５の固定方法は、ノズル本体２内に設けられノズル内孔３にガスを供給可能なガス導入路４と、ガス導入路４内にガスを供給するガス供給管２０をノズル本体２に接続するためのガス供給管接続用ネジ５と、ガス供給管接続用ネジ５の取り付け部位付近のノズル本体２に巻回された鉄皮６とを有した連続鋳造用ノズルであって、ガス供給管接続用ネジ５は外形に角部５Ａを備えた頭部フランジ５ａを有し、鉄皮６はガス供給管接続用ネジ５を挿通可能なネジ挿通穴３１を有し、ガス供給管接続用ネジ５は鉄皮６に固着され頭部フランジ５ａを回転不能に保持するネジ固定用部材３２ａ，３２ｂにより保持されていることを特徴とする固定方法である。
【００３０】
この実施例では、まず、鉄皮６のネジ挿通穴３１内にガス供給管接続用ネジ５が露呈する状態で、ガス供給管接続用ネジ５の取り付け部位付近のノズル本体２外周に鉄皮６を巻回して補強する。
【００３１】
つぎに、図５に示すように、ネジ固定用部材３２ａ，３２ｂによって頭部フランジ５ａを回転不能に保持させる。具体的には、ネジ固定用部材３２ａ，３２ｂは、２本の長尺材にて構成されており、頭部フランジ５ａの外形の直線部分に沿って平行に配された後、溶接部３３にて鉄皮６に固着されることで、頭部フランジ５ａが回転不能に係止固定される。
【００３２】
このように、本発明の連続鋳造用ノズルにおけるガス供給管接続用ネジの固定方法によれば、簡素な構造でかつ簡易な方法でガス供給管接続用ネジ５の回転をより確実に抑止できる。
【符号の説明】
【００３３】
１      連続鋳造用ノズル
２      ノズル本体
３      ノズル内孔
４      ガス導入路
５      ガス供給管接続用ネジ
５Ａ    角部
５ａ    頭部フランジ
５ｂ    雄ネジ
５ｃ    ネジ本体部
５ｄ    ガス供給管接続用雌ネジ
６      鉄皮
１０    ネジ取り付け孔
１０ａ  嵌装孔
１０ｂ  雌ネジ
１１    ガス供給孔
１２    耐火モルタル
２０    ガス供給管  
【図１】
2010253514.tif 000003
【図２】
2010253514.tif 000004
【図３】
2010253514.tif 000005
【図４】
2010253514.tif 000006
【図５】
2010253514.tif 000007
【図６】
2010253514.tif 000008
【図７】
2010253514.tif 000009
【図８】
2010253514.tif 000010
【図９】
2010253514.tif 000011